(57)【要約】【課題】操作により作動するスイッチの構造に格別な工夫を施すことによってコスト面に優れるコンビネーションスイッチを提供する。【解決手段】本発明のコンビネーションスイッチ１０は、中立位置を介して第１の方向または第２の方向へ傾動されることにより切換えられるスイッチ１７，１８を有する。また、第１の方向への傾動により閉成される第１固定接点３５と第２の方向への傾動により閉成される第２固定接点とを有する第１スイッチ１７を備えている。また、第１の方向への傾動により閉成される第３固定接点４０と第２の方向への傾動により閉成される第４固定接点とを有する第２スイッチ１８を備えている。そして、第１，第２スイッチ１７，１８の内、少なくとも一方向への傾動により閉成される各固定接点間に遅延時間を設定した。【選択図】  図３
2004171790.tif 000002
【特許請求の範囲】
【請求項１】
ステアリングコラムに対し中立位置を介して第１の方向または第２の方向へ傾動されることにより切換えられるスイッチを有するコンビネーションスイッチであって、
前記スイッチが、前記第１の方向への傾動により閉成される第１固定接点と前記第２の方向への傾動により閉成される第２固定接点とを有する第１スイッチと、前記第１の方向への傾動により閉成される第３固定接点と前記第２の方向への傾動により閉成される第４固定接点とを有する第２スイッチとから成り、
前記第１，第２スイッチの内、少なくとも一方向への傾動により閉成される各固定接点間に遅延時間を設定したことを特徴とするコンビネーションスイッチ。
【請求項２】
ステアリングコラムに対し中立位置を介して第１の方向または第２の方向へ傾動されることにより切換えられるスイッチを有するコンビネーションスイッチであって、
前記スイッチが、前記第１の方向への傾動により第１コモン接点が接続される第１固定接点と前記第２の方向への傾動により前記第１コモン接点が接続される第２固定接点とを有する第１スイッチと、前記第１の方向への傾動により第２コモン接点が接続される第３固定接点と前記第２の方向への傾動により前記第２コモン接点が接続される第４固定接点とを有する第２スイッチとから成り、
少なくとも前記第１固定接点に前記第１コモン接点が接続される接点ピッチと前記第３固定接点に前記第１コモン接点が接続される接点ピッチとが、前記第２固定接点に前記第２コモン接点が接続される接点ピッチと前記第４固定接点に前記第２コモン接点が接続される接点ピッチとが、異なるように設定されていることを特徴とするコンビネーションスイッチ。
【請求項３】
前記第１，第２スイッチは、傾動によりスライド移動する共通の接点ホルダを有し、前記接点ホルダに該第１，第２スイッチの可動接点が保持されていることを特徴とする請求項１または２に記載のコンビネーションスイッチ。
【発明の詳細な説明】
【０００１】
【発明の属する技術分野】
本発明は、車両のステアリングコラムに取付けられ、中立位置に対し反転することにより切換え作動するコンビネーションスイッチに関する。
【０００２】
【従来の技術】
従来、コンビネーションスイッチとして、ステアリングコラムから、右方向や左方向にスティック状に突出しているものが知られている（下記特許文献１参照）。
【０００３】
このようなコンビネーションスイッチには、ローラ式に回動されることによって、フロントワイパの動作を、停止ポジション（ＯＦＦ），間欠ポジション（ＩＮＴ），低速ポジション（ＬＯ），高速ポジション（ＨＩ）に切換える第１可動ノブスイッチを備えている。
また、同じくローラ式に回動されることによって、リアワイパの動作を、停止ポジション（ＯＦＦ），作動ポジション（ＯＮ）に切換える第２可動ノブスイッチを備えている。
また、第１可動ノブが間欠ポジション（ＩＮＴ）に切換えられているときに、ローラ式に回動されることによって、最短時間から最長時間の間でフロントワイパの間欠休止時間を任意に設定する第３可動ノブスイッチを備えている。
さらに、コンビネーションスイッチ全体をステアリングコラムに対して中立位置から手前側（運転者側）または後方側（車両の前方側）に傾動させることによって、手前への傾動切換えではフロントウォッシャを起動させ、後方への傾動切換えではリアウォッシャを起動させるウォッシャスイッチを備えている。なお、ウォッシャスイッチは、操作する力が与えられなくなると、中立位置に自己復帰する自己復帰式である。
【０００４】
ウォッシャスイッチが手前側へ傾動されることによってフロントウォッシャが起動されると、このウォッシャスイッチに、フロントウォッシャ制御回路と並列に配されたフロントワイパ制御回路が起動されるため、フロントウインドシールドガラスに対して洗浄液を噴射してから、フロントワイパが初回拭きを行う。
その後に、ウォッシャスイッチの手前への傾動が中止されると、フロントウォッシャが停止され、フロントワイパが後拭き動作を行ってから、フロントワイパブレードが所定の停止位置に戻る。
【０００５】
ウォッシャスイッチが後方側へ傾動されることによってリアウォッシャが起動されると、このウォッシャスイッチに、フロントウォッシャ制御回路と並列に配されたリアワイパ制御回路が起動されるため、リアウインドガラスに対して洗浄液を噴射してから、リアワイパが初回拭きを行う。
その後に、ウォッシャスイッチの後方への傾動が中止されると、リアウォッシャが停止され、リアワイパが後拭き動作を行ってから、リアワイパブレードが所定の停止位置に戻る。
【０００６】
このようなウォッシャスイッチは、図９及び図１０に示す具体的構造を有する。図９はウォッシャ用の第１スイッチ６０を示し、図１０はワイパ用の第２スイッチ７０を示している。
【０００７】
図９に示すように、第１スイッチ６０は、第１，第２固定接点６１，６２と、第１，第２固定接点６１，６２の間に配されたコモン接点６３と、第２スイッチ７０と共通の接点ホルダ６４と、可動接点６５と、第２スイッチ７０と共通のケース６６とから成る。
【０００８】
第１固定接点６１は、フロントウォッシャ制御回路に接続されており、可動接点６５を通じてコモン接点６３に接続されることによって、フロントウォッシャ制御回路を起動させる。
第２固定接点６２は、リアウォッシャ制御回路に接続されており、可動接点６５を通じてコモン接点６３に接続されることによって、リアウォッシャ制御回路を起動させる。
コモン接点６３は、共通電源または共通接地に接続されている。
接点ホルダ６４は、ばね６７を介して可動接点６５を保持しており、ケース６６から突出したノブ６８が、コンビネーションスイッチの傾動により押圧されることによって、ケース６６内を図中の左右方向にスライド移動する。
【０００９】
第１スイッチ６０は、コンビネーションスイッチが中立位置にあると、接点ホルダ６４の中心位置で図中のａ１位置にあり、可動接点６５は、コモン接点６３にのみ接続している。
【００１０】
コンビネーションスイッチが手前側に傾動されることによって、接点ホルダ６４が、中立位置ａ１から図中のａ２位置（図９に示される位置）までスライド移動されると、可動接点６５が、第１固定接点６１，コモン接点６３に接続されるため、フロントウォッシャ制御回路を起動させる。
【００１１】
コンビネーションスイッチが後方側に傾動されることによって、接点ホルダ６４が、中立位置ａ１から図中のａ３位置までスライド移動されると、可動接点６５が、第２固定接点６２，コモン接点６３に接続されるため、リアウォッシャ制御回路を起動させる。
【００１２】
図１０に示すように、第２スイッチ７０は、第３，第４固定接点７１，７２と、コモン接点７３，７４と、接点ホルダ６４と、可動接点７５と、ケース６６とから成る。
【００１３】
第３固定接点７１は、フロントワイパ制御回路に接続されており、可動接点７５を通じてコモン接点７３に接続されることによって、フロントワイパ制御回路を起動させる。
第４固定接点７２は、リアワイパ制御回路に接続されており、可動接点７５を通じてコモン接点７４に接続されることによって、リアワイパ制御回路を起動させる。
コモン接点７３，７４は、共通電源または共通接地に接続されている。
接点ホルダ６４は、ばね７７を介して可動接点７５を保持しており、図９に示すノブ６８が、コンビネーションスイッチの傾動により押圧されることによって、ケース６６内を図中の左右方向にスライド移動する。
【００１４】
第２スイッチ７０は、コンビネーションスイッチが中立位置にあると、接点ホルダ６４の中心位置で図中のｂ１位置（ａ１位置と同一である。）にあり、可動接点７５は、コモン接点７３，７４にのみ接続している。
【００１５】
コンビネーションスイッチが手前側に傾動されることによって、接点ホルダ６４が、中立位置ｂ１から図中のｂ２位置（ａ２位置と同一である。）までスライド移動されると、可動接点７５が第３固定接点７１，コモン接点７３に接続されるため、フロントワイパ制御回路を起動させる。
【００１６】
コンビネーションスイッチが後方側に傾動されることによって、接点ホルダ６４が、中立位置ｂ１から図中のｂ３位置（ａ３位置と同一である。）までスライド移動されると、可動接点７５が第４固定接点７２，コモン接点７４に接続されるため、リアワイパ制御回路を起動させる。
【００１７】
このように、第１，第２スイッチ６０，７０は、コンビネーションスイッチの傾動に伴い同時的に切換え動作を行い、フロントウォッシャ及びフロントワイパ、またはリアウォッシャ及びリアワイパを同時的に起動させる。
【００１８】
【特許文献１】
特開平１０−３１５９１８号公報（第３―４頁、図１）
【００１９】
【発明が解決しようとする課題】
しかしながら、上記従来のコンビネーションスイッチでは、第１スイッチ６０及び第２スイッチ７０の切換え順序が安定しておらず、瞬間的に遅く接続された方のスイッチの接点間にアーク放電が発生し易い。そのため、各接点に塗布する摺動グリースを、アーク放電による接点の高熱や摩耗に耐え得る高価なものにしなければならず、コスト面で不利になるという問題点があった。
【００２０】
本発明は、上記課題を解決するためになされたものであり、その目的は、操作により作動するスイッチの構造に格別な工夫を施すことによってコスト面に優れるコンビネーションスイッチを提供することにある。
【００２１】
【課題を解決するための手段】
上記課題を解決する本発明の請求項１記載のコンビネーションスイッチは、ステアリングコラムに対し中立位置を介して第１の方向または第２の方向へ傾動されることにより切換えられるスイッチを有するコンビネーションスイッチであって、前記スイッチが、第１の方向への傾動により閉成される第１固定接点と第２の方向への傾動により閉成される第２固定接点とを有する第１スイッチと、第１の方向への傾動により閉成される第３固定接点と第２の方向への傾動により閉成される第４固定接点とを有する第２スイッチとから成り、前記第１，第２スイッチの内、少なくとも一方向への傾動により閉成される各固定接点間に、遅延時間を設定したことを特徴とする。
【００２２】
上記構成のコンビネーションスイッチによれば、少なくとも第１の方向への傾動により第１固定接点、第３固定接点が閉成される際、または第２の方向への傾動により第２固定接点、第４固定接点が閉成される際に遅延時間が設定される。したがって、第１固定接点と第３固定接点と、または第２固定接点と第４固定接点とは、同時に閉成されることがなく、遅延時間を介して閉成される。これにより、時間差により切換え順序が安定することによって、同時的に閉成されるときのような接点間におけるアーク放電の発生がなくなるため、アーク放電対策用の高価な摺動グリースを各接点に塗布する必要がなくなり、コスト面で有利となる。
【００２３】
また、請求項２記載のコンビネーションスイッチは、ステアリングコラムに対し中立位置を介して第１の方向または第２の方向へ傾動されることにより切換えられるスイッチを有するコンビネーションスイッチであって、前記スイッチが、第１の方向への傾動により第１コモン接点が接続される第１固定接点と第２の方向への傾動により前記第１コモン接点が接続される第２固定接点とを有する第１スイッチと、第１の方向への傾動により第２コモン接点が接続される第３固定接点と第２の方向への傾動により第２コモン接点が接続される第４固定接点とを有する第２スイッチとから成り、少なくとも前記第１固定接点に前記第１コモン接点が接続される接点ピッチと前記第３固定接点に第１コモン接点が接続される接点ピッチ、または前記第２固定接点に前記第２コモン接点が接続される接点ピッチと前記第４固定接点に第２コモン接点が接続される接点ピッチとが異なるように設定されていることを特徴とする。
【００２４】
上記構成のコンビネーションスイッチによれば、少なくとも第１固定接点に第１コモン接点が接続される接点ピッチと第３固定接点に第１コモン接点が接続される接点ピッチとが異なるように設定され、または第２固定接点に第２コモン接点が接続される接点ピッチと第４固定接点に第２コモン接点が接続される接点ピッチとが異なるように設定される。
したがって、異なる接点ピッチにより、第１固定接点と第３固定接点と、または第２固定接点と第４固定接点とは、同時に接続されることがない。これにより、時間差をもつ接続により切換え順序が安定することによって、同時的に接続されたときのような接点間におけるアーク放電の発生がなくなるため、アーク放電対策用の高価な摺動グリースを各接点に塗布する必要がなくなり、コスト面で有利となる。
【００２５】
また、請求項３記載のコンビネーションスイッチは、請求項１または請求項２に記載のコンビネーションスイッチにおいて、前記第１，第２スイッチは、傾動によりスライド移動する共通の接点ホルダを有し、前記接点ホルダに、該第１，第２スイッチの可動接点が保持されていることを特徴とする。
【００２６】
上記構成のコンビネーションスイッチによれば、共通の接点ホルダがスライド移動することによって、可動接点を通じて第１固定接点、第３固定接点が閉成される際、または可動接点を通じて第２固定接点、第４固定接点が閉成される際に遅延時間が設定される。
したがって、可動接点を通じて第１固定接点と第３固定接点と、または第２固定接点と第４固定接点とは同時に閉成されることがなく、遅延時間を介して閉成される。これにより、時間差により切換え順序が安定することによって、同時に閉成されるときのような接点間におけるアーク放電の発生がなくなるため、アーク放電対策用の高価な摺動グリースを各接点に塗布する必要がなくなり、コスト面で有利となる。
【００２７】
【発明の実施の形態】
以下、本発明のコンビネーションスイッチの一実施形態を図１乃至図８に基づいて詳細に説明する。図１は本発明の一実施形態のコンビネーションスイッチの平面図、図２は図１の一部破断底面図、図３は図１の一部破断縦断面図、図４は図１に示すコンビネーションスイッチにおける第１の方向への切換え時での第１スイッチの作動状態の断面図、図５は図１に示すコンビネーションスイッチにおける第２の方向への切換え時での第１スイッチの作動状態の断面図である。
また、図６は図１に示すコンビネーションスイッチにおける第１の方向への切換え時での第２スイッチの作動状態の断面図、図７は図１に示すコンビネーションスイッチにおける第２の方向への切換え時での第２スイッチの作動状態の断面図、図８は図１に示すコンビネーションスイッチに用いられる固定接点板の平面図である。
【００２８】
図１に示すように、本実施形態のコンビネーションスイッチ１０は、本体部１１と、第１，第２固定ノブ１２，１３と、第１，第２，第３可動ノブ１４，１５，１６と、本体部１１の傾動中心位置１１ａを介して図中のａ方向またはｂ方向へ傾動されることによって切換え作動する第１，第２スイッチ１７，１８（図３に示す。）とを有する。
本体部１１は、ステアリングコラム（図示しない。）の側部に固定されるため、コンビネーションスイッチ１０をステアリングコラムの横方向に突出して配置する。また、第１，第２固定ノブ１２，１３は、本体部１１に回動不能に固定されている。
【００２９】
第１可動ノブ１４は、第１固定ノブ１１に対して、停止ポジション（ＯＦＦ），間欠ポジション（ＩＮＴ），低速ポジション（ＬＯ），高速ポジション（ＨＩ）に回動切換えられることによって、フロントワイパの動作を支配する。
第２可動ノブ１５は、第１固定ノブ１１に対して、停止ポジション（ＯＦＦ），作動ポジション（ＯＮ）に回動切換えられることによって、リアワイパの動作を支配する。
第３可動ノブ１６は、第２固定ノブ１２に対して、回動されることによって、予め定められた最短時間から最長時間の間で、フロントワイパの間欠休止時間を任意に支配する。
【００３０】
図２に示すように、本体部１１の底面には、回路基板１９がねじ２０によって固定されているとともに、固定接点板２１がねじ２０によって固定されている。そして、回路基板１９にワイヤハーネス２２が電気的に接続され、固定接点板２１にワイヤハーネス２３が電気的に接続されている。
また、ワイヤハーネス２４が、各可動ノブ１３，１４，１５側に引き込まれている。固定接点板２１は、第１，第２スイッチ１７，１８に用いられる。
【００３１】
図３に示すように、本体部１１の中央部には、各ノブ１２，１３，１４，１５，１６を支持するシャフト２５，ノブ支持部材２６が配されており、シャフト２５の基端部に配された枢軸部材２７が傾動中心位置１１ａを構成している。
【００３２】
シャフト２５，ノブ支持部材２６の基端部には、ばね２８とプランジャ２９とによってシャフト２５側に付勢されることによってシャフト２５に係合されたスライダ押圧部材３０が配されている。スライダ押圧部材３０は、シャフト２５の基端部が、枢軸部材２７を介し傾動中心位置１１ａを中心にして回動する際に、本体部１１の図３中の前後方向に僅かに回動しながら変位することによって、スライダ３１を押圧する。
【００３３】
スライダ３１は、ばね３２とプランジャ３３とによってスライダ押圧部材３０側に付勢されることによってスライダ押圧部材３０に係合されており、基端部寄りに形成された係合凹部３１ａが、第１，第２スイッチ１７，１８の一部を構成する接点ホルダ３４に形成された突起部３４ａに係合されている。スライダ３１は、スライダ押圧部材３０が変位することによって、接点ホルダ３４を図３中の前後方向にスライド移動させる。
【００３４】
第１，第２スイッチ１７，１８は、固定接点板２１上に、本体部１１の長さ方向に沿って２列に並べて配されている。固定接点板２１，接点ホルダ３４は、各スイッチ１７，１８に共通に用いられる。
【００３５】
図４に示されるように、第１スイッチ１７は、第１，第２固定接点３５，３６と、第１，第２固定接点３５，３６の間に配されたコモン接点３７と、可動接点３８とから成る。
第１固定接点３５は、フロントウォッシャ制御回路に接続されており、可動接点３８を通じてコモン接点３７に接続されることによって、フロントウォッシャ制御回路を起動させる。
【００３６】
第２固定接点３６は、リアウォッシャ制御回路に接続されており、可動接点３８を通じてコモン接点３７に接続されることによって、リアウォッシャ制御回路を起動させる。また、コモン接点３７は、共通電源または共通接地に接続されている。
接点ホルダ３４は、ばね３９を介して可動接点３８を保持しており、本体部１１の隔壁１１ｂに形成された切欠部１１ｃを通じて突出した突起部３４ａが、スライダ３１によって押圧されることによって、図４中の左右方向にスライド移動する。
【００３７】
第１スイッチ１７は、コンビネーションスイッチ１０が中立位置（図１に示す状態）にあると、接点ホルダ３４の中心位置で図４中の位置Ａ１にあり、可動接点３８はコモン接点３７にのみ接続している。
また、第１スイッチ１７は、コンビネーションスイッチ１０が手前側（図１に示すｂ方向）に傾動されることによって、接点ホルダ３４が、中立位置Ａ１から図４中の位置Ａ２までスライド移動されると、可動接点３８が第１固定接点３５，コモン接点３７に接続されるため、フロントウォッシャ制御回路を起動させる。
【００３８】
図５に示すように、第１スイッチ１７は、コンビネーションスイッチ１０が後方側（図１に示すａ方向）に傾動されることによって、接点ホルダ３４が、中立位置Ａ１から図中の位置Ａ３までスライド移動されると、可動接点３８が、第２固定接点３６，コモン接点３７に接続されるため、リアウォッシャ制御回路を起動させる。
【００３９】
図６に示すように、第２スイッチ１８は、第３，第４固定接点４０，４１と、第３，第４固定接点４０，４１の間に配されたコモン接点４２，４３と、可動接点４４とから成る。
第３固定接点４０は、フロントワイパ制御回路に接続されており、可動接点４４を通じてコモン接点４２に接続されることによって、フロントワイパ制御回路を起動させる。
第４固定接点４１は、リアワイパ制御回路に接続されており、可動接点４４を通じてコモン接点４３に接続されることによって、リアワイパ制御回路を起動させる。また、コモン接点４２，４３は、共通電源または共通接地に接続されている。
【００４０】
可動接点４４は、ばね４５を介して接点ホルダ３４に保持されており、接点ホルダ３４の突起部３４ａが、スライダ３１によって押圧されることによって、図６中の左右方向にスライド移動する。
第２スイッチ１８は、コンビネーションスイッチ１０が中立位置（図１に示す状態）にあると、接点ホルダ３４の中心位置で図６中の位置Ｂ１にあり、可動接点４４はコモン接点４２，４３にのみ接続している。
【００４１】
第２スイッチ１８は、コンビネーションスイッチ１０が手前側（図１に示すｂ方向）に傾動されることによって、接点ホルダ３４が中立位置Ｂ１から図６中の位置Ｂ２までスライド移動されても、可動接点４４は第３固定接点４０に接続されない。
そして、接点ホルダ３４が位置Ｂ２を僅かに越えて位置Ｂ２´までスライド移動したところで、可動接点４４が第３固定接点４０，コモン接点４２に接続されるため、フロントワイパ制御回路を起動させる。すなわち、第１スイッチ１７によるフロントウォッシャ制御回路の起動に遅延して第２スイッチ１８によるフロントワイパ制御回路の起動が行われる。
【００４２】
図７に示すように、第２スイッチ１８は、コンビネーションスイッチ１０が後方側（図１に示すａ方向）に傾動されることによって、接点ホルダ３４が中立位置Ｂ１から図中の位置Ｂ３までスライド移動されても、可動接点４４は第４固定接点４１に接続されない。
そして、接点ホルダ３４が位置Ｂ３を僅かに越えて位置Ｂ３´までスライド移動したところで、可動接点４４が第４固定接点４１，コモン接点４３に接続されるため、リアワイパ制御回路を起動させる。すなわち、第１スイッチ１７によるリアウォッシャ制御回路の起動に遅延して第２スイッチ１８によるリアワイパ制御回路の起動が行われる。
【００４３】
図８に示すように、固定接点板２１上において、接点ホルダ３４の中立位置Ａ１，Ｂ１に対応した中心位置Ｃ１から第３固定接点４０の中心までの接点ピッチｐ２は、中心位置Ｃ１から第１固定接点３５の中心までの接点ピッチｐ１よりも大きい。
また、中心位置Ｃ１から第４固定接点４１の中心までの接点ピッチｐ２は、中心位置Ｃ１から第２固定接点３６の中心までの接点ピッチｐ１よりも大きい。これにより、第２スイッチ１８の接点ピッチの方が、第１スイッチ１７の接点ピッチよりも大きく設定されている。
【００４４】
このようなコンビネーションスイッチ１０は、電源が投入された後に、手前側（図１に示すｂ方向）に傾動されることによって、第１スイッチ１７において、可動接点３８が第１固定接点３５，コモン接点３７に接続されることによって、フロントウォッシャ制御回路を起動させる。
そして、第１スイッチ１７に僅かに遅れて、第２スイッチ１８において、可動接点４４が第３固定接点４０，コモン接点４２に接続されるため、フロントワイパ制御回路を起動させる。すなわち、第１スイッチ１７によるフロントウォッシャ制御回路の起動に遅延して第２スイッチ１８によるフロントワイパ制御回路の起動が行われる。
【００４５】
また、コンビネーションスイッチ１０は、後方側（図１に示すａ方向）に傾動されることによって、第１スイッチ１７において、可動接点３８が、第２固定接点３６，コモン接点３７に接続されることにより、リアウォッシャ制御回路を起動させる。
そして、第１スイッチ１７に僅かに遅れて、第２スイッチ１８において、可動接点４４が、第４固定接点４１，コモン接点４３に接続されるため、リアワイパ制御回路を起動させる。すなわち、第１スイッチ１７によるリアウォッシャ制御回路の起動に遅延して第２スイッチ１８によるリアワイパ制御回路の起動が行われる。
【００４６】
本実施形態のコンビネーションスイッチ１０によれば、少なくとも手前側への傾動により第１固定接点３５、第３固定接点４０が閉成される際、または後方側への傾動により第２固定接点３６、第４固定接点４１が閉成される際に遅延時間が設定される。
したがって、第１固定接点３５と第３固定接点４０と、または第２固定接点３６と第４固定接点４１とは、同時に閉成されることがなく、遅延時間を介して閉成される。これにより、時間差により切換え順序が安定することによって、同時的に閉成されるときのような接点間におけるアーク放電の発生がなくなるため、アーク放電対策用の高価な摺動グリースを各接点に塗布する必要がなくなり、コスト面で有利となる。
【００４７】
また、少なくとも第１固定接点３５にコモン接点３７が接続される接点ピッチと第３固定接点４０にコモン接点４２が接続される接点ピッチとが異なるように設定される。または、第２固定接点３６にコモン接点３７が接続される接点ピッチと第４固定接点４１にコモン接点４３が接続される接点ピッチとが異なるように設定される。
したがって、異なる接点ピッチにより、第１固定接点３５と第３固定接点４０と、または第２固定接点３６と第４固定接点４１とは、同時に接続されることがない。これにより、時間差をもつ接続により切換え順序が安定することによって、同時に接続されたときのような接点間におけるアーク放電の発生がなくなるため、アーク放電対策用の高価な摺動グリースを各接点に塗布する必要がなくなり、コスト面で有利となる。
【００４８】
そして、共通の接点ホルダ３４がスライド移動することによって、可動接点３８，４４を通じて第１固定接点３５，第３固定接点４０が閉成される際、または可動接点３８，４４を通じて第２固定接点３６，第４固定接点４１が閉成される際に遅延時間が設定される。
したがって、可動接点３８，４４を通じて第１固定接点３５と第３固定接点４０と、または第２固定接点３６と第４固定接点４１とは、同時に閉成されることがなく、遅延時間を介して閉成される。これにより、時間差により切換え順序が安定することによって、同時に閉成されるときのような接点間におけるアーク放電の発生がなくなるため、アーク放電対策用の高価な摺動グリースを各接点に塗布する必要がなくなり、コスト面で有利となる。
【００４９】
なお、本発明に係るコンビネーションスイッチは、上述した実施形態に限定されるものではなく、適宜な変形、改良等が可能である。例えば、第２スイッチにおけるコモン接点は、２個を一体的に成形した単一の接点としても良い。
また、可動接点としては、図示したものに限定されず、棒形状のコンタクタを用いても良いし、固定接点として、板形状のコンタクトプレートを用いても良い。
【００５０】
【発明の効果】
以上説明したように本発明の請求項１記載のコンビネーションスイッチの誤操作防止構造によれば、少なくとも第１の方向への傾動により第１固定接点、第３固定接点が閉成される際、または第２の方向への傾動により第２固定接点、第４固定接点が閉成される際に遅延時間が設定される。
したがって、第１固定接点と第３固定接点と、または第２固定接点と第４固定接点とは、同時に閉成されることがなく、遅延時間を介して閉成される。これにより、時間差により切換え順序が安定することによって、同時に閉成されるときのような接点間におけるアーク放電の発生がなくなるため、アーク放電対策用の高価な摺動グリースを各接点に塗布する必要がなくなり、コスト面で有利となる。
【００５１】
また、請求項２記載のコンビネーションスイッチによれば、少なくとも第１固定接点に第１コモン接点が接続される接点ピッチと第３固定接点に第１コモン接点が接続される接点ピッチとが異なるように設定され、または第２固定接点に第２コモン接点が接続される接点ピッチと第４固定接点に第２コモン接点が接続される接点ピッチとが異なるように設定される。
したがって、異なる接点ピッチにより、第１固定接点と第３固定接点と、または第２固定接点と第４固定接点とは、同時に接続されることがない。これにより、時間差をもつ接続により切換え順序が安定することによって、同時に接続されたときのような接点間におけるアーク放電の発生がなくなるため、アーク放電対策用の高価な摺動グリースを各接点に塗布する必要がなくなり、コスト面で有利となる。
【００５２】
更に、請求項３記載のコンビネーションスイッチによれば、共通の接点ホルダがスライド移動することによって、可動接点を通じて第１固定接点、第３固定接点が閉成される際、または可動接点を通じて第２固定接点、第４固定接点が閉成される際に遅延時間が設定される。
したがって、可動接点を通じて第１固定接点と第３固定接点と、または第２固定接点と第４固定接点とは、同時に閉成されることがなく、遅延時間を介して閉成される。これにより、時間差により切換え順序が安定することによって、同時に閉成されるときのような接点間におけるアーク放電の発生がなくなるため、アーク放電対策用の高価な摺動グリースを各接点に塗布する必要がなくなり、コスト面で有利となる。
【図面の簡単な説明】
【図１】本発明の一実施形態のコンビネーションスイッチの平面図である。
【図２】図１の一部破断底面図である。
【図３】図１の一部破断縦断面図である。
【図４】図１に示したコンビネーションスイッチにおける第１の方向への切換え時での第１スイッチの作動状態の断面図である。
【図５】図１に示したコンビネーションスイッチにおける第２の方向への切換え時での第１スイッチの作動状態の断面図である。
【図６】図１に示すコンビネーションスイッチにおける第１の方向への切換え時での第２スイッチの作動状態の断面図である。
【図７】図１に示すコンビネーションスイッチにおける第２の方向への切換え時での第２スイッチの作動状態の断面図である。
【図８】図１に示すコンビネーションスイッチに用いられる固定接点板の平面図である。
【図９】従来のコンビネーションスイッチにおける作動状態の断面図である。
【図１０】従来のコンビネーションスイッチにおける作動状態の断面図である。
【符号の説明】
１０  コンビネーションスイッチ
１７  第１スイッチ（スイッチ）
１８  第２スイッチ（スイッチ）
３４  接点ホルダ
３５  第１固定接点
３６  第２固定接点
３７  コモン接点（第１コモン接点）
３８，４４  可動接点
４０  第３固定接点
４１  第４固定接点
４２，４３  コモン接点（第２コモン接点）
【図１】
2004171790.tif 000003
【図２】
2004171790.tif 000004
【図３】
2004171790.tif 000005
【図４】
2004171790.tif 000006
【図５】
2004171790.tif 000007
【図６】
2004171790.tif 000008
【図７】
2004171790.tif 000009
【図８】
2004171790.tif 000010
【図９】
2004171790.tif 000011
【図１０】
2004171790.tif 000012